(57)【要約】本発明は、基地局（Ｂ）および少なくとも１つの移動局（Ｍｉ）を有するデータ伝送システムに関するものである。これらの基地局（Ｂ）と移動局（Ｍｉ）との間では、データパケット（Ｐ１２）を、タイムスロット分割法にしたがって交換する。この目的のために、所定の第１シンボルレート（Ｒ１）を有するデータパケット（Ｐ１２）の第１部分（Ｐ１）を第１伝送周波数（Ｆ１）で伝送するための第１手段が用いられる。また、第２シンボルレート（Ｒ２）を有するデータパケット（Ｐ１２）の第２部分（Ｐ２）を第２伝送周波数（Ｆ１）で伝送するための第２手段が用いられる。
2004535711.tif 000002
【特許請求の範囲】
【請求項１】
基地局（Ｂ）と少なくとも１つの移動局（Ｍｉ）とを備え、それらの間で、タイムスロット方式にしたがって無線通信を用いてデータパケット（Ｐ１２）を交換できる、データ伝送システムであって、
第１伝送周波数（Ｆ１）で所定の第１シンボルレート（Ｒ１）を有するデータパケット（Ｐ１２）の第１部分（Ｐ１）を伝送するための第１手段と、
第２伝送周波数（Ｆ２）で第２シンボルレート（Ｒ２）を有するデータパケット（Ｐ１２）の第２部分（Ｐ２）を伝送するための第２手段とを備えた、データ伝送システム。
【請求項２】
上記データパケット（Ｐ１２）の第１部分（Ｐ１）が、第２シンボルレート（Ｒ２）および特に第２伝送周波数（Ｆ２）に関する情報を含んでいることを特徴とする、請求項１に記載のデータ伝送システム。
【請求項３】
データパケットの第１部分（Ｐ１）と第２部分（Ｐ２）との間で保護時間間隔（Ｓ）を発生させるための第３手段を備えることを特徴とする、請求項１または２に記載のデータ伝送システム。
【請求項４】
上記第２シンボルレート（Ｒ２）は、第１シンボルレート（Ｒ１）よりも高速であることを特徴とする、請求項１ないし３の何れかに記載のデータ伝送システム。
【請求項５】
上記基地局（Ｂ）および少なくとも１つの移動局（Ｍｉ）が、それぞれ局部発振器（ＬＯ）を備えていることを特徴とする、請求項１ないし４の何れかに記載のデータ伝送システム。
【請求項６】
各局部発振器（ＬＯ）が、それぞれ、位相制御ループに接続されていることを特徴とする、請求項５に記載のデータ伝送システム。
【請求項７】
上記基地局（Ｂ）および少なくとも１つの移動局（Ｍｉ）が、それぞれ、伝送周波数（Ｆ１,Ｆ２）を受信側で選択するためのフィルターを備えていることを特徴とする、請求項１ないし６の何れかに記載のデータ伝送システム。
【請求項８】
上記第１手段が、基地局（Ｂ）と少なくとも１つの移動局（Ｍｉ）との関連を識別するための、識別情報（ＣＡＣ）生成手段を備えていることを特徴とする、請求項１ないし７の何れかに記載のデータ伝送システム。
【請求項９】
上記第１手段が、第１データパケットヘッダー（Ｈ１）生成手段を備えていることを特徴とする、請求項１ないし８の何れかに記載のデータ伝送システム。
【請求項１０】
上記第２手段が、基地局（Ｂ）を第２シンボルレート（Ｒ２）で少なくとも１つの移動局（Ｍｉ）に同期させるための同期語（ＳＹＮＣ）生成手段を備えていることを特徴とする、請求項１ないし９の何れかに記載のデータ伝送システム。
【請求項１１】
上記第２手段が、第２データパケットヘッダー（Ｈ２）生成手段、および、ペイロードデータ（Ｄ）伝送手段を備えていることを特徴とする、請求項１ないし１０の何れかに記載のデータ伝送システム。
【請求項１２】
第１伝送周波数（Ｆ１）の順番を計算するためのアルゴリズム、および、第２伝送周波数（Ｆ２）を計算するためのアルゴリズムは、それぞれ上記基地局（Ｂ）および少なくとも１つの移動局（Ｍｉ）において実行されることを特徴とする、請求項１ないし１１の何れかに記載のデータ伝送システム。
【請求項１３】
デジタルコードレス通信システム、または、
コンピュータ制御された娯楽システム（Unterhaltungssystem）、特に、コンピュータ制御されたゲームシステム、または、
実時間要求を有するシステム、
に用いられることを特徴とする、請求項１ないし１２の何れかに記載のデータ伝送システム。
【請求項１４】
基地局（Ｂ）と少なくとも１つの移動局（Ｍｉ）との間でデータパケット（Ｐ１２）を無線通信によって伝送するための方法であって、
（１）第１伝送周波数（Ｆ１）で、所定の第１シンボルレート（Ｒ１）を有するデータパケットの第１部分（Ｐ１）を伝送するステップと、
（２）第２伝送周波数（Ｆ２）で、第２シンボルレート（Ｒ２）を有するデータパケット（Ｐ１２）の第２部分（Ｐ２）を伝送するステップとを有する、方法。
【請求項１５】
第２シンボルレート（Ｒ２）に関する情報、および、特に、第２伝送周波数（Ｆ２）に関する情報は、上記データパケット（Ｐ１２）の第１部分（Ｐ１）とともに伝送されることを特徴とする、請求項１４に記載の方法。
【請求項１６】
上記データパケット（Ｐ１２）の第２部分（Ｐ２）を伝送する前に、保護時間間隔（Ｓ）が保持されることを特徴とする、請求項１４または１５に記載の方法。
【請求項１７】
上記第２シンボルレート（Ｒ２）は、第１シンボルレート（Ｒ１）よりも高速であることを特徴とする、請求項１４ないし１６の何れかに記載の方法。
【請求項１８】
上記基地局（Ｂ）および少なくとも１つの移動局（Ｍｉ）は、それぞれ局部発振器（ＬＯ）を用いて送信および／または受信することを特徴とする、請求項１４ないし１７の何れかに記載の方法。
【請求項１９】
各局部発振器（ＬＯ）は、それぞれ、位相制御ループに接続されていることを特徴とする、請求項１８に記載の方法。
【請求項２０】
上記基地局（Ｂ）および少なくとも１つの移動局（Ｍｉ）のそれぞれが、データパケット（Ｐ１２）を受信する際に、伝送周波数（Ｆ１,Ｆ２）をフィルターに通すことを特徴とする、請求項１４ないし１９の何れかに記載の方法。
【請求項２１】
上記データパケット（Ｐ１２）の第１部分（Ｐ１）に、基地局（Ｂ）と少なくとも１つの移動局（Ｍｉ）との関連を識別するための識別情報（ＣＡＣ）を伝送することを特徴とする、請求項１４ないし２０の何れかに記載の方法。
【請求項２２】
上記データパケット（Ｐ１２）の第１部分（Ｐ１）に、第１データパケットヘッダー（Ｈ１）を伝送することを特徴とする、請求項１４ないし２１の何れかに記載の方法。
【請求項２３】
上記データパケット（Ｐ１２）の第２部分（Ｐ２）の開始時に、基地局（Ｂ）を少なくとも１つの移動局（Ｍｉ）に同期させるための同期語（ＳＹＮＣ）を、第２シンボルレート（Ｒ２）で伝送することを特徴とする、請求項１４ないし２２の何れかに記載の方法。
【請求項２４】
上記データパケット（Ｐ１２）の第２部分（Ｐ２）に、第２データパケットヘッダー（Ｈ２）およびペイロードデータ（Ｄ）を伝送することを特徴とする、請求項１４ないし２３の何れかに記載の方法。
【請求項２５】
上記基地局（Ｂ）および少なくとも１つの移動局（Ｍｉ）は、第１伝送周波数（Ｆ１）の順番を計算するためのアルゴリズム、および、第２伝送周波数（Ｆ２）を計算するためのアルゴリズムへそれぞれアクセスすることを特徴とする、請求項１４ないし２４の何れかに記載の方法。
【請求項２６】
デジタルコードレス通信システム、または、
コンピュータ制御された娯楽システム、特に、コンピュータ制御されたゲームシステム、または、
実時間要求を有するシステム、
に用いられることを特徴とする、請求項１４ないし２５の何れかに記載の方法。
【発明の詳細な説明】
【０００１】
本発明は、少なくとも２つの局を有し、それらの間でデータパケットを無線通信を用いて交換する、デジタルデータ伝送システムに関するものである。さらに、本発明は、少なくとも２つの局の間での無線通信を用いたデータパケットのデジタル伝送方法に関するものである。
【０００２】
このようなデータ伝送システムは、無線通信を用いてデータパケットを短い距離間で交換する場合に、頻繁に用いられている。この短い距離間での無線通信とは、例えば、コードレス電話の基地部分と移動部分との間、または、コンピュータと周辺機器との間でデータ交換を行う場合である。このような、基地局と移動局との間のたった数メートルという短い距離間でコード（電線）を用いずにデータを交換するというデータ伝送システムを、ピコネット（Piconetz）と呼ぶ。これらのピコネットを、様々な標準（例えばブルートゥース（Bluetooth）標準またはＤＥＣＴ（欧州デジタル・コードレス電気通信）標準）にしたがって操作することができる。
【０００３】
基地局から移動局へのデータ伝送は、ダウンリンクと呼ばれている。逆に、移動局から基地局へのデータ伝送は、アップリンクと呼ばれている。データ伝送には、通常、タイムスロット方式（時間帯方式（Zeitschlitzverfahren））が用いられ、この方式において、ダウンリンクおよびアップリンクに、特定の時間長を有するタイムスロット（時間帯）が割り当てられる。このタイムスロット方式用の（Als）多元接続方式（Mehrfach-Zugriffsverfahren）として、ＴＤＭＡ（時分割多元接続）方式が用いられ、ＴＤＤ（時分割二重通信）方式は、基地局と移動局との間の双方向の通信路（チャネル）を形成するための二重方式（Duplexverfahren）として、用いられる。
【０００４】
ピコネット中のデータ伝送に用いられる周波数は、ＩＳＭ（産業、科学、医療）周波数帯域によって規定されている。このＩＳＭ周波数帯域は、ライセンスを持っていなくても無線通信の方向に（funkorientierte）低い伝送電力を使用するために割り当てられている（reserviert）。
【０００５】
このＩＳＭ周波数帯域の使用に関して、管轄の監督官庁（アメリカ連邦通信委員会（ＦＣＣ））が、データ交換方法に関する規則を定めている。これらの規則には、ワイヤレスデータ伝送を、周波数ホッピング方式（ＦＨＳＳ；周波数ホッピングスペクトル拡散）にしたがって行う必要がある、というものがある。さらに、規定の時間間隔内で何回周波数変換を実行すべきかということが、ＦＣＣ規則によって規定されている。
【０００６】
このＦＣＣ規則によると、周波数ホッピング方式を用いるので、使用する周波数帯域内で、非常にわずかな数のみの周波数チャネルを重複しないように使用しなければならない。例えば、これに用いられる周波数帯域として、２４００.０ＭＨｚから２４８３．５ＭＨｚの範囲が挙げられる。周波数チャネル内の送信領域の帯域を確実に狭めるために、例えばブルートゥース標準に基づいたデジタルコードレス通信システムには、例えば、記号クロックが１ＭＨｚで、変調指数ηが０．２８から０．３５である２値のＧＦＳＫ変調方式（ガウス周波数偏移変調）が用いられる。このＧＦＳＫ変調方式では、周波数帯域を制限するためにガウスフィルターが用いられ、その結果、各周波数チャネル間のクロストークが抑制される。
【０００７】
また、周波数ホッピング方式を用いた場合、各周波数チャネルは擬似ランダムに変化する（angesprungen）。さらに、チャネル中心周波数の時間系列を前もって与えるアルゴリズムが用いられる。チャネル中心周波数とは、周波数チャネルの中心に位置する周波数のことである。
【０００８】
現在、例えばブルートゥース標準に基づいたデジタルコードレス通信システムでは、周波数ホッピング方式を用いることによって、標準的に１Ｍｂｉｔ／ｓのデータ率で伝送されている。また、より高速なデータ伝送を行うために、主に、より高い値の変調方式、例えば、２値のビットではなくＭ値の記号（Ｍ＝２ｍ）を伝送する、π／４−ＤＱＰＳＫ（四相差動位相偏移変調（Differential Quadratur Phase Shift Keying））方式、π／８−Ｄ８ＰＳＫ方式またはＭ−ＦＳＫ（周波数偏移変調）方式、が用いられる。より高い値の変調方式を実行するには、通常、デジタルコードレス通信システムに用いられる２値のＧＦＳＫ変調方式と、それに用いられる送受信局とを変更する必要がある。
【０００９】
同様に、ブルートゥース標準においてデータ伝送率を上げるために、ＧＦＳＫ変調方式を変更せずに、全データ伝送を行う間のシンボルレート（Symbolrate）を因子Ｎまで上げることができる。このシンボルレートとは、データを伝送するために搬送周波数として用いられる振動位相（Phase der Schwingung）を変調する速度（率）のことである。しかし、このことによって、必要な周波数チャネルの帯域も、因子Ｎまで拡大されてしまう。また、周波数ホッピング方式と上昇したシンボルレートとが整合しない場合、ＦＣＣ規則では許可されていない重複した周波数チャネルが生じてしまう。したがって、チャネル中心周波数の順番を規定するアルゴリズムを変更する必要があるので、周波数チャネルの帯域が、上昇したシンボルレートのうちの１つに整合するように拡大されてしまう。また、このようなシンボルレートの上昇によって、ピコネットの駆動が妨害されるという不都合が生じる。例えば、基地局と移動局のうちの１つとの間のデータ接続がより高い率で行われる場合、残りの移動局は、このより高いデータ接続に同期できない。なぜなら、一方では、ＦＣＣの要求にしたがって、高い率で接続するためにチャネル中心周波数を変える必要があり、他方、シンボルレートは、期待されたシンボルレート（例えば１Ｍｂｉｔ／ｓ）と一致しないからである。
【００１０】
したがって、本発明の目的は、データ伝送システム用の手段を提供することによって、データ伝送システムの通常の動作を妨害することなく、ＦＣＣ規則を守りながら、データ伝送率を上げることにある。
【００１１】
本発明の目的を、独立特許請求項の特徴部分によって達成する。基地局（Basisstation）と少なくとも１つの移動局（Mobilstation）との間で、タイムスロット方式にしたがって無線通信を用いて、データパケットを交換できる。本発明の基本理念は、データ伝送システムが、第１伝送周波数および所定の第１シンボルレート（Symbolrate）でデータパケットの第１部分を伝送する第１手段を有し、さらに、第２伝送周波数および第２シンボルレートでデータパケットの第２部分を伝送する第２手段を有しているという点にある。ここでは、この第１または第２シンボルレートとは、各場合においてデータ伝送に用いられる振動の位相を変調する速度（率）のことである。この振動は、通常はチャネル中心周波数である第１または第２伝送周波数を有している。
【００１２】
本発明のデータ伝送システムの利点は、例えば第２シンボルレートが第１シンボルレートよりも大きくてもよいので、従来の多くのデータ伝送システムよりもデータ伝送速度を上げることができる点にある。このために、所定の第１シンボルレートを有するデータパケットの第１部分は、第１伝送周波数で伝送される。この第１シンボルレートは、通常、データ伝送システムが駆動している間に標準的に用いられるシンボルレートである。したがって、データパケットの第１部分の伝送中に、全受信局は、このデータ伝送に同期できる。それゆえ、通常、データパケットのペイロードデータを含んだ、データパケットの第２部分は、シンボルレートの高い第２シンボルレートで伝送される。これによって、全体として、従来のデータパケットの伝送と比べて、全てのデータパケットのデータ伝送速度が上昇する。しかし、考慮すべきは、この高い第２シンボルレートの場合、ＦＣＣ規則に基づいた周波数チャネルの重複を防止するために、第２伝送周波数も、第１伝送周波数とは値が異なっている必要がある。また、第２シンボルレート、そして適切であれば、それに関連する第２伝送周波数は、データパケットの第１部分に位置する適切な情報によって、全受信局に知らせることができる。したがって、所定の第１シンボルレートの場合に通常行われるデータ伝送システムは、妨害されずに正常に駆動する。
【００１３】
本発明によるデータ伝送システムの他の利点は、使用する変調方式をこの目的のために変更する必要なく、データ伝送速度を上げることにある。したがって、例えば、ブルートゥース標準にしたがって駆動しているデジタルコードレス通信システムの場合、２値のＧＦＳＫ変調方式を使用し続けることができる。
【００１４】
全ての受信局が場合によっては高い第２シンボルレート、および第１伝送周波数とは異なっており、上記第２シンボルレートに関連する第２伝送周波数に、確実に同期できるように、データパケットの第１部分は、第２シンボルレートに関する有効な情報を含んでいる。特に、データパケットの第１部分は、第２伝送周波数に関する情報も含むことができる。このことは、第２伝送周波数は、第２シンボルレートの知識によって、および、第１伝送周波数の時間系列に関するアルゴリズムによって計算できるので、必ずしも必要ではない。
【００１５】
本発明の有効な形態では、保護時間間隔（Schutzzeitintervall）は、データパケットの第１部分の伝送と第２部分の伝送との間に適合されている。保護時間間隔の間、データは伝送されない。必要な場合にデータパケットの２つの部分の伝送間において伝送周波数を変化させることができるように、送信装置および受信装置を、通常、新しい伝送周波数に合わせておく（eingeschwungen werden）必要がある。この時間を要する一時的な工程（Einschwingvorgang）は、保護時間間隔を含むことによって考慮されている（Rechnung getragen）。
【００１６】
また、本発明の他の有効な形態では、基地局および少なくとも１つの移動局がそれぞれ１つの局部発振器をそれぞれ備えている。局部発振器の周波数は、送信駆動中にベースバンド信号を各伝送周波数に増加・混合する（heraufzumischen）ために用いられる。受信駆動中には、局部発振器周波数によって、受信信号を中間周波数帯域に低減・混合する。局部発振器は、低コストな電子素子を用いて実現できる。
【００１７】
また、これらの局部発振器を、位相制御ループ（ＰＬＬ；位相同期ループ）に配置することが好ましい。この位相制御ループは、局部発振器の周波数を、基準発振器（Bezugsoszillators）の周波数に、位相差を保つように正確に調整する。この位相制御ループを介して、周波数を受信でき、所望の周波数をも生成できる。
【００１８】
また、本発明の有効な１形態の特徴は、基地局および少なくとも１つの移動局が、受信側の周波数チャネルを選択するために用いられるフィルターを１つずつ備えているということである。保護時間間隔の間に伝送周波数を変更する際に、同様に、このフィルターの帯域幅を第２伝送周波数の新しい帯域幅に調整する。
【００１９】
本発明のより好ましい形態にしたがって、データパケットの第１部分では、識別情報および第１データパケットヘッダーを伝送する。この識別情報に基づいて、各受信機は、それに付属のデータ伝送システム用に規定されたデータパケットの伝送の開始を認識する。この第１データパケットヘッダーは、例えば、第２シンボルレート、データパケットの発信者（Adressanten）、および、場合によっては第２伝送周波数に関する情報を含んでいる。
【００２０】
本発明の特に有効な１形態では、データパケットの第２部分において、第２部分の開始時に送信されることが好ましい同期語（Synchronisationswort）が伝送されることを提示する。この同期語は、送信機および受信機を第２シンボルレートに同期させるために用いられる。この同期によって、あらゆるデータ損失を防止することができる。同期語の後に、データパケットの第２部分において、接続制御（Verbindungssteuerung）に関する他の情報を含んだ第２データパケットヘッダーを備えることができる。その後、ペイロードデータが伝送される。
【００２１】
基地局および少なくとも１つの移動局は、それぞれ、第１伝送周波数の順番（Sequenz）を計算できるアルゴリズムへアクセスする（haben…Zugriff）ことが好ましい。さらに、基地局および少なくとも１つの移動局は、同様に、第２伝送周波数の計算を可能にする他のアルゴリズムへアクセスすることができる。
【００２２】
本発明のデータ伝送システムは、例えば、短距離のデジタルコードレス通信システム（例えば１つ以上の移動部分を有するコードレス電話のようなシステム）や、さらにはコンピュータ制御されたゲームシステムに適用できる。これらの移動局は、ここでは、各プレーヤーのゲームパッドである場合もある。データ伝送率が高いので、本発明のデータ伝送システムを、実時間要件（Echtzeitanforderung）を設定する（リアルタイムの反応が要求される）システムにおいて使用することが、特に有効である。
【００２３】
本発明の他の観点は、基地局と少なくとも１つの移動局との間のデータパケットの無線通信伝送方法に関するものである。この目的を達成するために、所定の第１シンボルレートを有するデータパケットの第１部分を、先ず第１伝送周波数で伝送する。その後、第２シンボルレートを有するデータパケットの第２部分を、第２伝送周波数で伝送する。
【００２４】
本発明の方法は、例えば、全データパケットを所定の１回のシンボルレートのみで伝送する必要はなく、第２部分においてより高速な第２シンボルレートを使用することができるので、有効である。第１シンボルレートに標準シンボルレートを使用することによって、受信局は、送信されたデータパケットに同期できる。
【００２５】
本発明を、図面を参照しながら、以下の文面に詳述する。図１は、基地局と４つの移動局とを含む、従来技術に関するデータ伝送システムの構造を示す図である。図２は、本発明のデータ伝送システム中のデータ伝送用のフレーム構成を示すブロック図である。
【００２６】
図１に、基地局Ｂおよび例えば４つの移動局Ｍｉ（ｉ＝１,・・・,４）を含んだ公知のデータ伝送システムを示す。この基地局は、無線通信を用いて、各移動局Ｍｉにデータを伝送できる。同様に、移動局Ｍｉは、データを無線通信を用いて基地局Ｂに伝送する。無線通信を用いてデータを伝送するために、基地局Ｂおよび移動局Ｍｉは、局部発振器ＬＯをそれぞれ備えている。基地局ＢおよびＮ個の移動局Ｍｉからなるこのようなデータ伝送システムは、ピコネットと呼ばれている。ピコネットは非常に短い距離を有するものである。
【００２７】
図１に示したピコネットの場合、基地局Ｂおよび全移動局Ｍｉは、送信装置および受信装置をそれぞれ有している。しかし、例えば基地局Ｂが送信装置のみを含んでおり、基地局Ｂからのみ移動局Ｍｉにデータを伝送できるということも、可能である。
【００２８】
図２に、本発明のデータ伝送システムにおいて基地局Ｂと移動局Ｍｉとの間で無線通信を用いて交換されるデータパケットＰ１２のフレーム構成を示す。例えば、データパケットＰ１２を２．４ＧＨｚのＩＳＭ周波数帯域で伝送する。ＦＣＣ規則によると、周波数ホッピング方式にしたがって、周波数帯域内の伝送周波数を特定時間後に変更する必要がある、ということである。そのために、周波数帯域を、重複しない周波数チャネルに再分割される。この周波数チャネルの中心に位置する周波数は、伝送周波数と呼ばれている。
【００２９】
現在のデータパケットＰ１２の伝送を開始するために、時間ΔＴ１の間、シンボルレートＲ１を有するデータパケットＰ１２の部分Ｐ１を、伝送周波数Ｆ１で、例えば基地局Ｂから送信し、移動局Ｍｉで受信する。シンボルレートＲ１の標準シンボルレートは、１Ｍｂｉｔ／ｓである。部分Ｐ１の開始において、ピコネットの識別情報ＣＡＣ（チャネルアクセスコード）をブルートゥース標準にしたがって送信する。その後、データパケットヘッダーＨ１（ヘッダー）を実行する。このデータパケットヘッダーＨ１は、例えば、シンボルレートＲ２に関する情報を含んでいてもよい。このシンボルレートで、データパケットＰ１２の部分Ｐ１に続く部分Ｐ２を時間ΔＴ２の間伝送する。通常、部分Ｐ２を部分Ｐ１よりも高速で伝送することにより、全体としてデータ伝送率の高いデータパケットＰ１２が送信される。シンボルレートＲ２が高いことによって伝送周波数の帯域幅が広くなるので、データパケットＰ１２の部分Ｐ２用に、新しい伝送周波数Ｆ２を選択する必要がある。このことによって、周波数帯域を重複させないというＦＣＣの要求に添うことができる。
【００３０】
このような理由から、部分Ｐ２は保護時間間隔Ｓの前にある。保護時間間隔Ｓ用に組み込まれた（eingeplanten）時間ΔＴＳの間、データは伝送されない。保護時間間隔Ｓは、伝送周波数Ｆ２で局部発振器ＬＯを共振するために用いられ、また、周波数チャネルを選択するために受信側のフィルターの帯域幅を広げるために用いられる。
【００３１】
その後、保護時間間隔Ｓに続いて、移動局Ｂから同期語ＳＹＮＣを送信する。この同期語ＳＹＮＣは、シンボルレートＲ２に記号を同期させるために用いられる。その後、他の制御情報およびペイロードデータＤを有するデータパケットヘッダーＨ２が伝送される。
【００３２】
データパケットＰ１２の部分Ｐ１に伝送されるデータ量は、部分Ｐ２のデータ量よりも明らかに少ない。部分Ｐ２を伝送するデータシンボルレートＲ２は高速なのでの、全体として、データパケットＰ１２のデータ伝送率は高くなる。
【図面の簡単な説明】
【００３３】
【図１】基地局と４つの移動局とを含む、従来技術に関するデータ伝送システムの構造を示す図である。
【図２】本発明のデータ伝送システム中のデータ伝送用のフレーム構成を示すブロック図である。
【国際公開パンフレット】
2004535711.tif 000003
2004535711.tif 000004
2004535711.tif 000005
2004535711.tif 000006
2004535711.tif 000007
2004535711.tif 000008
2004535711.tif 000009
2004535711.tif 000010
2004535711.tif 000011
2004535711.tif 000012
2004535711.tif 000013
2004535711.tif 000014
2004535711.tif 000015
2004535711.tif 000016
2004535711.tif 000017
2004535711.tif 000018
2004535711.tif 000019
2004535711.tif 000020
2004535711.tif 000021
2004535711.tif 000022
2004535711.tif 000023
【国際調査報告】
2004535711.tif 000024
2004535711.tif 000025
2004535711.tif 000026
2004535711.tif 000027
2004535711.tif 000028
2004535711.tif 000029